(57)【要約】【課題】  施工現場において容易にシール構造を構築することが可能なシール部材であって、供用後に目地幅が変化しても当該目地部分の水密性が損なわれることのないシール部材を提供すること。【解決手段】  隣接するパネルＰ，Ｐ間に挿入されるシール部材１を、パネルＰ，Ｐの隣接方向に対向する一対の胴部１５，１５と、両胴部１５，１５の基端同士を連結する腰部１０とを備えて構成し、腰部１０に各パネルＰの端面に向かって張り出す一対の脚部２０，２０を形成する。各胴部１５および各脚部２０は、内側に変形しつつパネルＰ，Ｐ間に挿入され、その復元力により各パネルＰの端面に圧接する。【選択図】      図２
2006016899.tif 000002
【特許請求の範囲】
【請求項１】
隣接するパネル間に挿入されるシール部材であって、
前記パネルの隣接方向に対向する一対の胴部と、
前記両胴部の基端同士を連結する腰部とを備え、
前記各胴部は、内側に変形しつつ前記パネル間に挿入され、その復元力により前記各パネルの端面に圧接することを特徴とするシール部材。
【請求項２】
前記各胴部には、外側に向かって張り出す腕部が形成されており、
前記各腕部は、内側に変形しつつ前記パネル間に挿入され、その復元力により前記各パネルの端面に圧接することを特徴とする請求項１に記載のシール部材。
【請求項３】
隣接するパネル間に挿入されるシール部材であって、
前記パネルの隣接方向に対向する一対の胴部と、
前記両胴部の基端同士を連結する腰部とを備え、
前記腰部には、前記各パネルの端面に向かって張り出す一対の脚部が形成されており、
前記各胴部および前記各脚部は、内側に変形しつつ前記パネル間に挿入され、その復元力により前記各パネルの端面に圧接することを特徴とするシール部材。
【請求項４】
前記腰部は、前記両胴部よりも内側に位置する部位を有することを特徴とする請求項３に記載のシール部材。
【請求項５】
前記各胴部の先端部分には、外側に向かって張り出す頭部が形成されており、
当該各頭部は、前記各パネルの表面の縁部に接着されることを特徴とする請求項１乃至請求項４のいずれか一項に記載のシール部材。
【請求項６】
前記各胴部には、内側に向かって張り出す蓋部が形成されており、
前記各胴部が前記パネル間に挿入されたときに、一方の前記蓋部と他方の前記蓋部とが互いに重なり合うことを特徴とする請求項１乃至請求項５のいずれか一項に記載のシール部材。
【発明の詳細な説明】
【技術分野】
【０００１】
本発明は、隣接するパネル間にシール構造を形成するためのシール部材に関する。
【背景技術】
【０００２】
従来、複数枚のパネル材を結合して屋根や壁を構築する場合には、雨水等の浸入を防止すべく隣接するパネル間（以下、適宜「目地」という）にシール構造を形成するのが一般的である。
【０００３】
例えば、特許文献１には、図７に示すように、パネル１００，１００間に形成されるシール構造であって、一次止水材としてのコーキング材１２０と、二次止水材１１０と、三次止水材１３０とを備えるシール構造が記載されている。
【０００４】
【特許文献１】特開平７−１１９２５２号公報（段落番号［００３０］〜［００３６］、図２および図３）
【発明の開示】
【発明が解決しようとする課題】
【０００５】
しかしながら、かかるシール構造を構築するには、複数枚のパネル１００を設置した後に、施工現場において、隣接するパネル１００，１００間に二次止水材１１０、コーキング材１２０および三次止水材１３０を配置する必要があることから、作業に多大な手間と時間とを要してしまう。
【０００６】
また、二次止水材１１０やコーキング材１２０は、パネル設置時の目地幅に合わせて配設されることから、供用後に目地幅が変化した場合に追従することができず、目地部分の水密性が損なわれることがある。さらに、コーキング材１２０がパネル表面に施されることから、紫外線により劣化することもある。
【０００７】
そこで、本発明は、施工現場において容易にシール構造を構築することが可能なシール部材であって、供用後に目地幅が変化しても当該目地部分の水密性が損なわれることのないシール部材を提供することを課題とする。
【課題を解決するための手段】
【０００８】
このような課題を解決すべく創案された請求項１の発明は、隣接するパネル間に挿入されるシール部材であって、前記パネルの隣接方向に対向する一対の胴部と、前記両胴部の基端同士を連結する腰部とを備え、前記各胴部は、内側に変形しつつ前記パネル間に挿入され、その復元力により前記各パネルの端面に圧接することを特徴とする。
【０００９】
かかるシール部材によると、当該シール部材をパネル間に挿入するだけで、各胴部がパネルの端面に圧接し、目地部分の水密性が確保される。すなわち、一対の胴部をパネル間に挿入するだけで、パネル間にシール構造を構築することができる。また、かかるシール部材によると、一対の胴部がそれぞれ内側に変形した状態で隣接するパネル間に挿入されるので、供用後に目地幅が広がった場合には、各胴部が目地幅の変化に追従して変形する。すなわち、供用後に目地幅が広がった場合であっても、一対の胴部がパネルの端面との圧接状態を保ちつつその外側に変形するので、当該目地部分の水密性が保たれることになる。
【００１０】
請求項２の発明は、請求項１に記載のシール部材であって、前記各胴部には、外側に向かって張り出す腕部が形成されており、前記各腕部は、内側に変形しつつ前記パネル間に挿入され、その復元力により前記各パネルの端面に圧接することを特徴とする。
【００１１】
かかるシール部材によると、各胴部に加えて各腕部もパネルの端面に圧接し、目地部分の水密性が確保される。すなわち、一対の胴部および一対の腕部をパネル間に挿入するだけで、パネル間にシール構造を構築することができる。また、かかるシール部材によると、一対の胴部および一対の腕部がそれぞれ内側に変形した状態で隣接するパネル間に挿入されるので、供用後に目地幅が広がった場合には、各胴部および各腕部が目地幅の変化に追従して変形する。すなわち、供用後に目地幅が広がった場合であっても、一対の胴部および一対の腕部がパネルの端面との圧接状態を保ちつつその外側に変形するので、当該目地部分の水密性が保たれることになる。さらに、腰部と腕部とパネルの端面により空間が形成されることになるが、この空間が「樋」として機能することになるので、何らかの原因によって当該空間に浸入した雨水等を排水地点まで導くことができる。
【００１２】
請求項３の発明は、隣接するパネル間に挿入されるシール部材であって、前記パネルの隣接方向に対向する一対の胴部と、前記両胴部の基端同士を連結する腰部とを備え、前記腰部には、前記各パネルの端面に向かって張り出す一対の脚部が形成されており、前記各胴部および前記各脚部は、内側に変形しつつ前記パネル間に挿入され、その復元力により前記各パネルの端面に圧接することを特徴とする。
【００１３】
かかるシール部材によると、当該シール部材をパネル間に挿入するだけで、各胴部および各脚部がパネルの端面に圧接し、目地部分の水密性が確保される。すなわち、一対の胴部および一対の脚部をパネル間に挿入するだけで、パネル間にシール構造を構築することができる。また、かかるシール部材によると、一対の胴部および一対の脚部がそれぞれ内側に変形した状態で隣接するパネル間に挿入されるので、供用後に目地幅が広がった場合には、各胴部および各脚部が目地幅の変化に追従して変形する。すなわち、供用後に目地幅が広がった場合であっても、一対の胴部および一対の脚部がパネルの端面との圧接状態を保ちつつその外側に変形するので、当該目地部分の水密性が保たれることになる。さらに、腰部と脚部とパネルの端面により空間が形成されることになるが、この空間が「樋」として機能することになるので、何らかの原因によって当該空間に浸入した雨水等を排水地点まで導くことができる。
【００１４】
請求項４の発明は、請求項３に記載のシール部材であって、前記腰部は、前記両胴部よりも内側に位置する部位を有することを特徴とする。
【００１５】
かかるシール部材によると、腰部と脚部とパネルの端面とにより形成される空間の断面積が大きくなるので、当該空間の「樋」としての性能が高くなる。すなわち、万一、多くの雨水等が当該空間に浸入した場合であっても、当該雨水等を確実に排水地点まで導くことが可能となる。
【００１６】
請求項５の発明は、請求項１乃至請求項４のいずれか一項に記載のシール部材であって、前記各胴部の先端部分には、外側に向かって張り出す頭部が形成されており、当該各頭部は、前記各パネルの表面の縁部に接着されることを特徴とする。
【００１７】
かかるシール部材によると、パネルの表面の縁部に接着された頭部により雨水等の浸入を阻止することができる。
【００１８】
請求項６の発明は、請求項１乃至請求項５のいずれか一項に記載のシール部材であって、前記各胴部には、内側に向かって張り出す蓋部が形成されており、前記各胴部が前記パネル間に挿入されたときに、一方の前記蓋部と他方の前記蓋部とが互いに重なり合うことを特徴とする。
【００１９】
かかるシール部材によると、一対の胴部が隣接するパネル間に挿入されたときに、一対の蓋部が互いに重なり合って目地が覆い隠されるので、パネル接合部の見栄えが向上する。
【発明の効果】
【００２０】
本発明に係るシール部材によると、施工現場において容易にシール構造を構築することができ、且つ、供用後に目地幅が変化した場合であっても、当該目地部分の水密性を保つことができる。
【発明を実施するための最良の形態】
【００２１】
以下、本発明を実施するための最良の形態を、添付した図面を参照しつつ詳細に説明する。なお、以下の説明においては、図示の状態を「上」「下」の基準とし、パネルの上方からシール部材を挿入する場合を例示する。
【００２２】
（第一の実施形態）
第一の実施形態に係るシール部材１は、図１に示すように、隣接するパネルＰ，Ｐ間（以下、適宜「目地」という）に挿入されるものであり、パネルＰ，Ｐの隣接方向に対向する一対の胴部１５，１５と、両胴部１５，１５の基端同士を連結する腰部１０とを備えて構成されており、腰部１０の下端（基端）部分には、各パネルＰの端面に向かって張り出す一対の脚部２０，２０が形成されている。また、各胴部１０の上端（先端）部分には、外側に向かって張り出す頭部３０と内側に向かって張り出す蓋部４０とが形成されている。
【００２３】
換言すれば、シール部材１は、基体部としての腰部１０と、この腰部１０の上部に対向して立設された一対の胴部１５，１５と、腰部１０の下部から外側に向かって張り出す一対の脚部２０，２０と、各胴部１０の上端部分から外側に向かって張り出す頭部３０，３０と、各胴部１５の上端部分から内側に向かって張り出す蓋部４０，４０とを備えて構成されているといえる。
【００２４】
また、シール部材１は、例えば、合成ゴムや天然ゴムからなり、腰部１０、一対の胴部１５，１５、一対の脚部２０，２０、一対の頭部３０，３０および一対の蓋部４０，４０は、一体に成形されている。
【００２５】
ここで、パネルＰは、アルミニウム合金製のハニカムコアＰ１と、ハニカムコアＰ１の周囲に配置される枠材Ｐ２と、ハニカムコアＰ１および枠材Ｐ２の上下面に固着された表面板Ｐ３，Ｐ３とを備えて構成されている。枠材Ｐ２は、アルミニウム合金製の押出形材からなり、他方のパネルＰの枠材Ｐ２と対向する面Ｐ２１には、その上部に一対の突条Ｐ２２，Ｐ２２が押出方向（長手方向）に沿って形成されている。また、表面板Ｐ３と上側の突条Ｐ２２との間には、コーキングＳが取り付けられている。
【００２６】
腰部１０は、図２（ａ）に示すように、底片１３と、この底片１３から略垂直に起立する一対の起立片１１，１１と、各起立片１１の先端（上端）から外側に延びる張出片１２とを備えて構成されており、略逆ハット形状の断面を呈している。また、張出片１２の先端から胴部１５が斜め上方に起立している。すなわち、腰部１０の一対の起立片１１，１１は、張出片１２，１２の長さ分だけ両胴部１５，１５よりも内側に位置しており、言い換えれば、起立片１１，１１の離隔距離Ｗ３が胴部１５，１５の基端同士の離隔距離Ｗ１よりも小さくなっている。
【００２７】
また、パネルＰ，Ｐ間に挿入される前の状態においては、一方の胴部１５と他方の胴部１５とは、逆ハ字状に対向しており、言い換えれば、胴部１５，１５は、その先端同士の離隔距離Ｗ２がその基端同士の離隔距離Ｗ１よりも大きくなっている。そして、胴部１５，１５の基端同士の離隔距離Ｗ１がパネルＰ，Ｐ（コーキングＳ，Ｓ）の端面Ｐ２３，Ｐ２３間の離隔距離Ｌ１と略等しくなっていることから、図２（ｂ）に示すように、胴部１５が内側に変形しつつパネルＰ，Ｐ間に挿入され、外側に広がろうとする復元力によりパネルＰの端面Ｐ２３（図２（ａ）参照）に圧接する。
【００２８】
脚部２０は、図２（ａ）に示すように、腰部１０の下端部分（底片１３）から斜め上方に向かって張り出しており、円弧形状を呈している。また、一方の脚部２０の先端と他方の脚部２０の先端との離隔距離Ｗ４がパネルＰ，Ｐ（枠材Ｐ２，Ｐ２）の端面Ｐ２４，Ｐ２４間の離隔距離Ｌ２よりも大きくなっている。したがって、図２（ｂ）に示すように、各脚部２０は、内側に変形しつつパネルＰ，Ｐ間に挿入されることになり、外側に広がろうとする復元力によりその先端部分がパネルＰの端面Ｐ２４に圧接する。なお、本実施形態では、脚部２０は、その先端部分が枠材Ｐ２の突条Ｐ２２，Ｐ２２間に位置することになり、且つ、その下面が下側の突条Ｐ２２に当接する。すなわち、脚部２０は、一対の突条Ｐ２２，Ｐ２２により形成された溝の内部に挿入され、枠材Ｐ２の下側の突条Ｐ２２は、シール部材１の位置決め手段として機能する。また、本実施形態では、枠材Ｐ２に突設した一対の突条Ｐ２２，Ｐ２２により形成された溝の内部に脚部２０を挿入する構成としたが、枠材Ｐ２の面Ｐ２１（図２（ａ）参照）に凹設した溝に脚部２０を挿入する構成としてもよい。
【００２９】
頭部３０は、図２（ａ）に示すように、胴部１５の先端部分からその外側斜め下方に向かって張り出しており、図２（ｂ）に示すように、腰部１０と胴部１５，１５と脚部２０，２０とがパネルＰ，Ｐ間に挿入されたときに、胴部１５の変形に伴ってその基端を中心に旋回し、最終的にはパネルＰの表面（本実施形態では、表面板Ｐ３の表面）と略平行になる。また、頭部３０は、接着剤等によりパネルＰの縁部に接着される。
【００３０】
蓋部４０は、図２（ａ）に示すように、胴部１５の先端部分からその内側斜め上方に向かって張り出しており、図２（ｂ）に示すように、腰部１０と胴部１５，１５と脚部２０，２０とがパネルＰ，Ｐ間に挿入されたときに、胴部１５の変形に伴ってその基端を中心に旋回し、最終的には他方の蓋部４０と重なり合う。なお、一方の蓋部４０の幅寸法は、他方の蓋部４０のおおよそ半分程度の大きさに形成されている。このようにしておくと、一方の蓋部４０と他方の蓋部４０とがスムーズに重なり合い、さらに、目地幅が狭まった場合であっても、両蓋部４０，４０の接触状態を維持することが可能となる。
【００３１】
以上のように構成されたシール部材１を使用して隣接するパネルＰ，Ｐ間にシール構造を構築するには、図２（ａ）（ｂ）に示すように、パネルＰ，Ｐを所定の位置に設置し、頭部３０の裏面又はパネルＰの表面板Ｐ３の縁部に接着剤を塗布したうえで、脚部２０，２０が枠材Ｐ２，Ｐ２の下側の突条Ｐ２２，Ｐ２２に当接するまでパネルＰの厚さ方向に押し込み、頭部３０をパネルＰの表面板Ｐ３の縁部に接着するだけでよい。シール部材１をパネルＰ，Ｐ間に挿入すると、胴部１５，１５がそれぞれ内側に変形し、その復元力によりパネルＰの端面Ｐ２３に圧接することになり、同様に、脚部２０，２０がそれぞれ内側に変形し、その復元力によりパネルＰの端面Ｐ２４に圧接することになり、さらには、一対の蓋部４０，４０がそれぞれ内側に向かって旋回し、互いに重なり合う。
【００３２】
なお、シール部材１をパネルＰ，Ｐ間に挿入した後に、頭部３０の裏面又はパネルＰの表面板Ｐ３の縁部に接着剤を塗布してもよい。
【００３３】
そして、シール部材１によると、一対の胴部１５，１５をパネルＰ，Ｐ間に挿入するだけで、各胴部１５がパネルＰの端面に圧接し、パネルＰ，Ｐ間が水密になる。すなわち、一対の胴部１５，１５を目地に挿入するだけで、当該目地部分にシール構造を構築することができる。なお、パネルＰの表面板Ｐ３の縁部に接着された頭部３０により一次的に雨水等の浸入が阻止されることになる。
【００３４】
また、一対の胴部１５，１５および一対の脚部２０，２０がそれぞれ内側に変形した状態で隣接するパネルＰ，Ｐ間に挿入されるので、図３に示すように、供用後に目地幅が広がった場合には、胴部１５，１５および脚部２０，２０が目地幅の変化に追従して変形する。すなわち、供用後に目地幅が広がった場合であっても、各胴部１５がパネルＰの端面Ｐ２３との圧接状態を保ちつつ外側に変形し、同様に、各脚部２０がパネルＰの端面Ｐ２４との圧接状態を保ちつつ外側に変形するので、目地部分の水密性が保たれることになる。なお、図示は省略するが、供用後に目地幅が狭まった場合には、各胴部１５および各脚部２０がパネルＰの端面との圧接状態を保ちつつ内側に変形するので、当然に目地部分の水密性が保たれることになる。
【００３５】
さらに、シール部材１によると、図２（ｂ）に示すように、腰部１０と脚部２０とパネルＰの上側の突条Ｐ２２と端面Ｐ２４とにより空間Ｖが形成されることになるが、この空間Ｖが「樋」として機能することになるので、何らかの原因によって空間Ｖに浸入した雨水等を図示しない排水地点まで導くことができる。また、腰部１０の起立片１１，１１を張出片１２，１２の長さ分だけ胴部１０，１０よりも内側に位置させたので、張出片１２，１２を設けない場合に比べて空間Ｖの断面積が大きくなり、その結果、空間Ｖの「樋」としての性能が高くなる。すなわち、万一、多くの雨水等が空間Ｖに浸入した場合であっても、当該雨水等を確実に排水地点まで導くことが可能となる。
【００３６】
このように、シール部材１は、頭部３０，３０と蓋部４０，４０とが一次止水材として機能し、腰部１０と胴部１５，１５とが二次止水材として機能し、さらに、脚部２０，２０が三次止水材として機能することになる。
【００３７】
また、シール部材１によると、隣接するパネルＰ，Ｐ間に挿入したときに、一対の蓋部４０，４０が互いに重なり合って目地が覆い隠されるので、パネル接合部の見栄えが向上する。さらに、供用後に目地幅が広がった場合であっても、一対の蓋部４０，４０が互いに重なり合っている限りは、目地を覆い隠すことができる。
【００３８】
なお、シール部材１の寸法・形状は、適宜変更してもよい。例えば、本実施形態に係る胴部１５は、断面視して直線状を呈しているが、円弧形状を呈するものであっても差し支えない。
【００３９】
また、本実施形態に係る脚部２０は、断面視して円弧形状を呈しているが、直線状を呈するものであっても差し支えない。
【００４０】
また、本実施形態に係る腰部１０は、断面視して逆ハット形状を呈しているが、例えば、図４に示すシール部材２の腰部１０のように、起立片１１，１１の上端同士を連結片１４で互いに連結してもよく、さらには、図５に示すシール部材３の腰部１０のように、一つの起立片１１と、この起立片１１の先端（上端）からその両側に張り出す一対の張出片１２，１２とで略Ｔ字形状に形成しても差し支えない。また、図示は省略するが、張出片１２，１２を省略し、起立片１１の先端から胴部１５を斜め上方に起立させたものであってもよい。また、本実施形態に係る胴部１０の起立片１１は、断面視して直線状を呈しているが、円弧形状を呈するものであっても差し支えない。
【００４１】
（第二の実施形態）
前記した第一の実施形態では、腰部１０の基端部分に一対の脚部２０，２０が形成されているシール部材１〜３を示したが、図６（ａ）（ｂ）に示す第二の実施形態に係るシール部材４のように、前記した脚部２０を省略してもよい。
【００４２】
すなわち、第二の実施形態に係るシール部材４は、図６（ａ）に示すように、パネルＰ，Ｐの隣接方向に対向する一対の胴部１５，１５と、両胴部１５，１５の基端同士を連結する腰部１０とを備えて構成されている。なお、本実施形態では、各胴部１５には、外側に向かって張り出す腕部１６が形成されている。
【００４３】
両胴部１５，１５は、パネルＰ，Ｐ間に挿入される前の状態においては、逆ハ字状に対向しており、図６（ｂ）に示すように、内側に変形しつつパネルＰ，Ｐ間に挿入され、その復元力により各パネルＰの端面Ｐ２３に圧接する。また、各胴部１５は、その基端（下端）部分がパネルＰ（枠材Ｐ２）の下側の突条Ｐ２２よりも下方まで延出している。
【００４４】
各腕部１６は、両胴部１５，１５がパネルＰ，Ｐ間に挿入された状態において各パネルＰの一対の突条Ｐ２２，Ｐ２２により形成された溝の内部に入り込み、その先端がパネルＰの端面Ｐ２４に圧接する。つまり、各腕部１６は、内側に変形しつつパネルＰ，Ｐ間に挿入され、その復元力により各パネルＰの端面Ｐ２４に圧接する。
【００４５】
そして、このようなシール部材４であっても、一対の胴部１５，１５をパネルＰ，Ｐ間に挿入するだけで、各胴部１５および各腕部１６がパネルＰの端面に圧接し、その結果、パネルＰ，Ｐ間が水密になる。すなわち、一対の胴部１５，１５を目地に挿入するだけで、当該目地部分にシール構造を構築することができる。なお、パネルＰの表面板Ｐ３の縁部に接着された頭部３０により一次的に雨水等の浸入が阻止されることになる。
【００４６】
また、一対の胴部１５，１５および一対の腕部１６，１６がそれぞれ内側に変形した状態で隣接するパネルＰ，Ｐ間に挿入されるので、供用後に目地幅が広がった場合には、胴部１５，１５および脚部２０，２０が目地幅の変化に追従して変形する。すなわち、供用後に目地幅が広がった場合であっても、各胴部１５がパネルＰの端面Ｐ２３との圧接状態を保ちつつ外側に変形し、同様に、各腕部１６がパネルＰの端面Ｐ２４との圧接状態を保ちつつ外側に変形するので、目地部分の水密性が保たれることになる。なお、図示は省略するが、供用後に目地幅が狭まった場合には、各胴部１５および各腕部１６がパネルＰの端面との圧接状態を保ちつつ内側に変形するので、当然に目地部分の水密性が保たれることになる。
【００４７】
さらに、シール部材４によると、図６（ｂ）に示すように、胴部１５と腕部１６とパネルＰの上側の突条Ｐ２２と端面Ｐ２４とにより空間Ｖが形成されることになるが、この空間Ｖが「樋」として機能することになるので、何らかの原因によって空間Ｖに浸入した雨水等を図示しない排水地点まで導くことができる。
【００４８】
このように、シール部材４は、頭部３０，３０と蓋部４０，４０とが一次止水材として機能し、胴部１５，１５とが二次止水材として機能し、さらに、腕部１６，１６が三次止水材として機能することになる。
【図面の簡単な説明】
【００４９】
【図１】第一の実施形態に係るシール部材を示す斜視図である。
【図２】第一の実施形態に係るシール部材を示す断面図であって、（ａ）はパネル間に挿入される前の状態を示す図、（ｂ）は隣接するパネル間に挿入された状態を示す図である。
【図３】第一の実施形態に係るシール部材を示す断面図であって、供用後に目地幅が変化した状態を示す図である。
【図４】第一の実施形態に係るシール部材の変形例を示す断面図であって、パネル間に挿入される前の状態を示す図である。
【図５】第一の実施形態に係るシール部材の他の変形例を示す断面図であって、パネル間に挿入される前の状態を示す図である。
【図６】第二の実施形態に係るシール部材を示す断面図であって、（ａ）はパネル間に挿入される前の状態を示す図、（ｂ）は隣接するパネル間に挿入された状態を示す図である。
【図７】従来のシール構造を示す断面図である。
【符号の説明】
【００５０】
１      シール部材
１０    腰部
１５    胴部
２０    脚部
３０    頭部
４０    蓋部
Ｐ      パネル
【図１】
2006016899.tif 000003
【図２】
2006016899.tif 000004
【図３】
2006016899.tif 000005
【図４】
2006016899.tif 000006
【図５】
2006016899.tif 000007
【図６】
2006016899.tif 000008
【図７】
2006016899.tif 000009